【手続補正書】
【提出日】平成15年5月12日(2003.5.12)
【手続補正１】
【補正対象書類名】明細書
【補正対象項目名】特許請求の範囲
【補正方法】変更
【補正の内容】
【特許請求の範囲】
【請求項１】
プリンタ、複写機、および他の画像形成装置に使用する一群の同様の用紙ホルダ中の用紙ホルダの位置を識別表示する装置であって、
前記用紙ホルダに接続され該用紙ホルダ上で見ることができ、前記用紙ホルダの位置を識別表示するものであり、前記用紙ホルダ上で見ることのできない第１の位置と、前記用紙ホルダ上で見ることのできる第２の位置との間で移動することのできる識別表示子と、
第１の端部が前記用紙ホルダに旋回可能に取付けられ第２の端部が第２の脚に実質上直角に接合された第１の脚を有し、前記識別表示子が前記第２の脚に付着され、前記第２の脚およびそれに付着された前記識別表示子を、前記第１の位置と前記第２の位置との間で旋回させることのできるＬ形部材と、
を備えて成る装置。
【請求項２】
プリンタ、複写機、および他の画像形成装置に使用する一群の同様の用紙ホルダ中の用紙ホルダの位置を識別表示する装置であって、
前記用紙ホルダに接続され該用紙ホルダ上で見ることができ、前記用紙ホルダの位置を識別表示する第１の識別表示子と、
第１の端部が前記用紙ホルダに旋回可能に取付けられ第２の端部が第２の脚に実質上直角に接合された第１の脚を有するＬ形部材と、
前記Ｌ形部材の前記第２の脚に付着され、前記用紙ホルダの位置を識別表示する第２の識別表示子と、
を備えて成り、
前記Ｌ形部材は、前記第２の脚およびそれに付着された前記第２の識別表示子を、前記用紙ホルダ上で前記第１の識別表示子のみが見える第１の位置と、前記第２の識別表示子のみが見える第２の位置との間で旋回させることができる、装置。
【請求項３】
一群の同様の用紙ホルダ中の位置を識別表示する機能を有する用紙ホルダであって、
ハウジングと、
前記ハウジング内に配置された用紙トレイと、
前記ハウジング内の識別表示子用窓と、
前記窓を通して見ることができ、前記用紙ホルダの位置を識別表示する第１の識別表示子と、
実質上直角に接合された第１の脚と第２の脚とを有し、前記第１の脚が、前記窓の上部でこれに隣接して前記ハウジングに旋回可能に取付けられているＬ形部材と、
前記Ｌ形部材の前記第２の脚に付着され、前記窓を通して見ることができ、前記用紙ホルダの位置を識別表示する第２の識別表示子と、
を備えて成り、
前記Ｌ形部材は、前記第２の脚およびそれに付着された前記第２の識別表示子を、前記第１の識別表示子のみが前記窓に表示される第１の位置と、前記第２の識別表示子のみが前記窓に表示される第２の位置との間で移動させることができる、用紙ホルダ。
【請求項４】
プリンタ、複写機、および他の画像形成装置に使用する一群の同様の用紙ホルダ中の用紙ホルダの位置を識別表示する装置であって、
前記用紙ホルダ上で見ることができ、前記用紙ホルダの位置を識別表示する第１および第２の識別表示子と、
前記用紙ホルダに回転可能に取付けられ、周囲に前記第１および第２の識別表示子が付着された回転輪と、
前記回転輪に回転可能に取付けられて該回転輪を回転させるよう動作することができ、これにより前記第２の識別表示子を、前記用紙ホルダ上で前記第１の識別表示子のみが見える第１の位置と、前記第２の識別表示子のみが見える第２の位置との間で移動させることができるアクチュエータロッドと、
を備えて成る装置。
【請求項５】
一群の同様の用紙ホルダ中の位置を識別表示する機能を有する用紙ホルダであって、
ハウジングと、
前記ハウジング内に配置された用紙トレイと、
前記ハウジング内の識別表示子用窓と、
前記窓を通して見ることができ、前記用紙ホルダの位置を識別表示する第１および第２の識別表示子と、
前記用紙ホルダに回転可能に取付けられ、周囲に前記第１および第２の識別表示子が付着された回転輪と、
前記回転輪に回転可能に取付けられて該回転輪を回転させるよう動作することができ、これにより前記第２の識別表示子を、前記第１の識別表示子のみが前記窓に表示される第１の位置と、前記第２の識別表示子のみが前記窓に表示される第２の位置との間で移動させることができるアクチュエータロッドと、
を備えて成る用紙ホルダ。
【請求項６】
プリンタ、複写機、および他の画像形成装置に使用する一群の同様の用紙ホルダ中の用紙ホルダの位置を識別表示する装置であって、
前記用紙ホルダ上で見ることができ、前記用紙ホルダの位置を識別表示する第１および第２の識別表示子と、
前記用紙ホルダに滑動可能に取付けられ、前記第１および第２の識別表示子が付着され、前記第２の識別表示子を、前記用紙ホルダ上で前記第１の識別表示子のみが見える第１の位置と、前記第２の識別表示子のみが見える第２の位置との間で移動させることができる棒と、
を備えて成り、
前記棒は、前記用紙ホルダの上部表面の外側に突出する前記棒の端部に接触するものの位置に応答して移動可能である、装置。
【請求項７】
一群の同様の用紙ホルダ中の位置を識別表示する機能を有する用紙ホルダであって、
ハウジングと、
前記ハウジング内に配置された用紙トレイと、
前記ハウジング内の識別表示子用窓と、
前記窓を通して見ることができ、前記用紙ホルダの位置を識別表示する第１および第２の識別表示子と、
前記用紙ホルダに滑動可能に取付けられ、前記第１および第２の識別表示子が付着され、前記第２の識別表示子を、前記第１の識別表示子のみが前記窓に表示される第１の位置と、前記第２の識別表示子のみが前記窓に表示される第２の位置との間で移動させることができる棒と、
を備えて成り、
前記棒は、前記用紙ホルダの上部表面の外側に突出する前記棒の端部に接触するものの位置に応答して移動可能である、用紙ホルダ。
【請求項８】
プリンタ、複写機、および他の画像形成装置に使用する一群の同様の用紙ホルダ中の用紙ホルダの位置を識別表示する装置であって、
前記用紙ホルダ上で見ることができ、前記用紙ホルダの位置を識別表示する第１および第２の識別表示子と、
前記用紙ホルダに旋回可能に取付けられたシャフトと、
前記シャフトに取付けられ、第１の部分および第２の部分を有し、前記第１の識別表示子が前記第１の部分に付着され、前記第２の識別表示子が前記第２の部分に付着された面板と、
前記シャフトに接続され、前記シャフトおよびそれに取付けられた前記面板を回転させるよう動作可能であり、それにより前記第２の識別表示子を、前記用紙ホルダ上で前記第１の識別表示子のみが見える第１の位置と、前記第２の識別表示子のみが見える第２の位置との間で移動させることができるアクチュエータロッドと、
を備えて成る装置。
【請求項９】
一群の同様の用紙ホルダ中の位置を識別表示する機能を有する用紙ホルダであって、
ハウジングと、
前記ハウジング内に配置された用紙トレイと、
前記ハウジング内の識別表示子用窓と、
前記窓を通して見ることができ、前記用紙ホルダの位置を識別表示する第１および第２の識別表示子と、
前記用紙ホルダに旋回可能に取付けられたシャフトと、
前記シャフトに取付けられ、第１の部分および第２の部分を有し、前記第１の識別表示子が前記第１の部分に付着され、前記第２の識別表示子が前記第２の部分に付着された面板と、
前記シャフトに接続され、前記シャフトおよびそれに取付けられた前記面板を回転させるよう動作可能であり、それにより前記第２の識別表示子を、前記第１の識別表示子のみが前記窓に表示される第１の位置と、前記第２の識別表示子のみが前記窓に表示される第２の位置との間で移動させることができるアクチュエータロッドと、
を備えて成る用紙ホルダ。